(57)【要約】      （修正有）【課題】有害生物対策案を講じるべき敷地内の環境要因に対応して、適正な品質レベル及びコストをもって、必要かつ十分な有害生物対策案の決定を行うことが可能な敷地環境衛生提示方法を提供する。【解決手段】予めコンピュータに入力して記憶させる有害生物予測記憶工程Ａと、リスクポイント記憶工程Ｂと、リスク評価記憶工程Ｃと、対策案記憶工程Ｄとを、具備し、敷地を踏査して存在が確認された環境要因を、敷地を平面的に見て複数に区分けした踏査単位区域毎に、コンピュータに入力する環境要因入力工程Ｅと、敷地に存在する環境要因の発生・生息リスクポイントと侵入リスクポイントの合計値に対応するリスク評価を決定するリスク評価決定工程Ｆと、敷地に存在する環境要因によって、敷地内に発生又は生息する可能性のある有害生物を特定する有害生物特定工程Ｇと、敷地の各環境要因に講じる有害生物対策案を決定する対策案決定工程Ｈとを、具備する。【選択図】図２
2018068119.tif 000002
【特許請求の範囲】
【請求項１】
複数の環境要因毎に、発生又は生息する可能性があると予測される有害生物を、予めコンピュータに入力して記憶させる有害生物予測記憶工程（Ａ）と、
上記環境要因毎に設定された、有害生物が発生又は生息する可能性を示す発生・生息リスクポイントと、有害生物が敷地内の建物に侵入する可能性を示す侵入リスクポイントとを、予めコンピュータに入力して記憶させるリスクポイント記憶工程（Ｂ）と、
将来踏査される敷地に於ける環境要因の上記発生・生息リスクポイントと上記侵入リスクポイントの合計値に対応するリスク評価を、予めコンピュータに入力して記憶させるリスク評価記憶工程（Ｃ）と、
上記環境要因毎に立案した有害生物対策案を、予めコンピュータに入力して記憶させる対策案記憶工程（Ｄ）とを、具備し、
敷地を踏査して存在が確認された環境要因を、該敷地を平面的に見て複数に区分けした踏査単位区域（Ｔｉ）毎に、コンピュータに入力する環境要因入力工程（Ｅ）と、
該敷地に存在する環境要因の上記発生・生息リスクポイントと上記侵入リスクポイントの合計値に対応するリスク評価を、上記リスク評価記憶工程（Ｃ）にて記憶したデータから抽出して決定するリスク評価決定工程（Ｆ）と、
上記敷地に存在する環境要因によって、該敷地内に発生又は生息する可能性のある有害生物を、上記有害生物予測記憶工程（Ａ）にて記憶したデータから抽出して特定する有害生物特定工程（Ｇ）と、
上記敷地の各環境要因に講じる有害生物対策案を、上記対策案記憶工程（Ｄ）にて記憶したデータから抽出して決定する対策案決定工程（Ｈ）とを、具備することを特徴とする敷地環境衛生提示方法。
【請求項２】
複数の環境要因毎に、発生又は生息する可能性があると予測される有害生物を、予めコンピュータに入力して記憶させる有害生物予測記憶工程（Ａ）と、
上記環境要因毎に設定された、有害生物が発生又は生息する可能性を示す発生・生息リスクポイントと、有害生物が敷地内の建物に侵入する可能性を示す侵入リスクポイントとを、予めコンピュータに入力して記憶させるリスクポイント記憶工程（Ｂ）と、
将来分析される敷地計画図面に於ける環境要因の上記発生・生息リスクポイントと上記侵入リスクポイントの合計値に対応するリスク評価を、予めコンピュータに入力して記憶させるリスク評価記憶工程（Ｃ）と、
上記環境要因毎に立案した有害生物対策案を、予めコンピュータに入力して記憶させる対策案記憶工程（Ｄ）とを、具備し、
敷地計画図面を分析して確認された環境要因を、該敷地計画図面を複数に区分けした分析単位区域毎に、コンピュータに入力する環境要因入力工程（Ｅ）と、
該敷地計画図面の環境要因の上記発生・生息リスクポイントと上記侵入リスクポイントの合計値に対応するリスク評価を、上記リスク評価記憶工程（Ｃ）にて記憶したデータから抽出して決定するリスク評価決定工程（Ｆ）と、
上記敷地計画図面の環境要因によって、将来の敷地内に発生又は生息する可能性のある有害生物を、上記有害生物予測記憶工程（Ａ）にて記憶したデータから抽出して特定する有害生物特定工程（Ｇ）と、
上記敷地計画図面の各環境要因に講じる有害生物対策案を、上記対策案記憶工程（Ｄ）にて記憶したデータから抽出して決定する対策案決定工程（Ｈ）とを、具備する敷地環境衛生提示方法。
【請求項３】
上記敷地を踏査する際に撮影した環境要因の写真データを、コンピュータに入力して記憶させる写真記憶工程（Ｊ）を具備し、
上記敷地に存在する環境要因と、各該環境要因に対応する写真と、各該環境要因に講じる有害生物対策案とが、表示される写真指摘リスト（１）を出力する請求項１記載の敷地環境衛生提示方法。
【請求項４】
上記敷地に存在する環境要因と、各上記踏査単位区域（Ｔｉ）のリスク評価とが、敷地全体の平面地図と共に表示されるリスクマップ（２）を出力する請求項１又は３記載の敷地環境衛生提示方法。
【請求項５】
複数の上記環境要因を、緑地種類項目と緑地管理項目と環境管理項目と水系項目に分類して、各該項目別に、上記踏査単位区域（Ｔｉ）の上記リスク評価を、上記リスクマップ（２）に表示する請求項４記載の敷地環境衛生提示方法。
【請求項６】
複数の環境要因毎に、発生又は生息する可能性があると予測される有害生物を、予めコンピュータに入力して記憶させる有害生物予測記憶工程（Ａ）と、
上記環境要因毎に設定された、有害生物が発生又は生息する可能性を示す発生・生息リスクポイントと、有害生物が敷地内の建物に侵入する可能性を示す侵入リスクポイントとを、予めコンピュータに入力して記憶させるリスクポイント記憶工程（Ｂ）と、
将来踏査される敷地に於ける環境要因の上記発生・生息リスクポイントと上記侵入リスクポイントの合計値に対応するリスク評価を、予めコンピュータに入力して記憶させるリスク評価記憶工程（Ｃ）と、
上記環境要因毎に立案した有害生物対策案を、予めコンピュータに入力して記憶させる対策案記憶工程（Ｄ）とを、具備し、
敷地を踏査して存在が確認された環境要因を、コンピュータに入力する環境要因入力工程（Ｅ）と、
該敷地に存在する環境要因の上記発生・生息リスクポイントと上記侵入リスクポイントの合計値に対応するリスク評価を、上記リスク評価記憶工程（Ｃ）にて記憶したデータから抽出して決定するリスク評価決定工程（Ｆ）と、
上記敷地に存在する環境要因によって、該敷地内に発生又は生息する可能性のある有害生物を、上記有害生物予測記憶工程（Ａ）にて記憶したデータから抽出して特定する有害生物特定工程（Ｇ）と、
上記敷地の各環境要因に講じる有害生物対策案を、上記対策案記憶工程（Ｄ）にて記憶したデータから抽出して決定する対策案決定工程（Ｈ）とを、具備することを特徴とする敷地環境衛生提示方法。
【請求項７】
複数の環境要因毎に、発生又は生息する可能性があると予測される有害生物を、予めコンピュータに入力して記憶させる有害生物予測記憶工程（Ａ）と、
上記環境要因毎に設定された、有害生物が発生又は生息する可能性を示す発生・生息リスクポイントと、有害生物が敷地内の建物に侵入する可能性を示す侵入リスクポイントとを、予めコンピュータに入力して記憶させるリスクポイント記憶工程（Ｂ）と、
将来分析される敷地計画図面に於ける環境要因の上記発生・生息リスクポイントと上記侵入リスクポイントの合計値に対応するリスク評価を、予めコンピュータに入力して記憶させるリスク評価記憶工程（Ｃ）と、
上記環境要因毎に立案した有害生物対策案を、予めコンピュータに入力して記憶させる対策案記憶工程（Ｄ）とを、具備し、
敷地計画図面を分析して確認された環境要因を、コンピュータに入力する環境要因入力工程（Ｅ）と、
該敷地計画図面の環境要因の上記発生・生息リスクポイントと上記侵入リスクポイントの合計値に対応するリスク評価を、上記リスク評価記憶工程（Ｃ）にて記憶したデータから抽出して決定するリスク評価決定工程（Ｆ）と、
上記敷地計画図面の環境要因によって、将来の敷地内に発生又は生息する可能性のある有害生物を、上記有害生物予測記憶工程（Ａ）にて記憶したデータから抽出して特定する有害生物特定工程（Ｇ）と、
上記敷地計画図面の各環境要因に講じる有害生物対策案を、上記対策案記憶工程（Ｄ）にて記憶したデータから抽出して決定する対策案決定工程（Ｈ）とを、具備する敷地環境衛生提示方法。
【発明の詳細な説明】
【技術分野】
【０００１】
本発明は、敷地環境衛生提示方法に関する。
【背景技術】
【０００２】
従来、本出願人は、新たに建設される食品工場や各種製品工場等の敷地外の周辺環境要因や気象条件に対応して、防虫対策案を決定する方法を提案してきた（特許文献１参照）。
【先行技術文献】
【特許文献】
【０００３】
【特許文献１】特許第４４９５１９２号
【発明の概要】
【発明が解決しようとする課題】
【０００４】
しかしながら、食品工場や各種製品工場等の敷地内で、食品や薬品等に混入する虞のある昆虫類（歩行性昆虫・飛翔性昆虫を含む）やネズミ等の有害生物の発生・生息・侵入を防止するために、どのような有害生物対策案を講じるのが合理的であるかの決定を、依然として、人の勘と経験に頼っていた。
従って、有害生物対策案を立案・決定した人によっては、敷地内の緑地種類や緑地管理等の環境要因に対する有害生物対策案が過剰品質であってコストが高くなってしまったり、逆に、過少品質のため、食品や薬品等に昆虫が混入したり、ネズミによる汚損や食害等の被害が発生したりする問題があった。
【０００５】
そこで、本発明は、有害生物対策案を講じるべき敷地内の環境要因に対応して、適正な品質レベル及びコストをもって、必要かつ十分な有害生物対策案の決定を行うことが可能な敷地環境衛生提示方法を提供することを目的とする。
【課題を解決するための手段】
【０００６】
本発明に係る敷地環境衛生提示方法は、複数の環境要因毎に、発生又は生息する可能性があると予測される有害生物を、予めコンピュータに入力して記憶させる有害生物予測記憶工程と、上記環境要因毎に設定された、有害生物が発生又は生息する可能性を示す発生・生息リスクポイントと、有害生物が敷地内の建物に侵入する可能性を示す侵入リスクポイントとを、予めコンピュータに入力して記憶させるリスクポイント記憶工程と、将来踏査される敷地に於ける環境要因の上記発生・生息リスクポイントと上記侵入リスクポイントの合計値に対応するリスク評価を、予めコンピュータに入力して記憶させるリスク評価記憶工程と、上記環境要因毎に立案した有害生物対策案を、予めコンピュータに入力して記憶させる対策案記憶工程とを、具備し、敷地を踏査して存在が確認された環境要因を、該敷地を平面的に見て複数に区分けした踏査単位区域毎に、コンピュータに入力する環境要因入力工程と、該敷地に存在する環境要因の上記発生・生息リスクポイントと上記侵入リスクポイントの合計値に対応するリスク評価を、上記リスク評価記憶工程にて記憶したデータから抽出して決定するリスク評価決定工程と、上記敷地に存在する環境要因によって、該敷地内に発生又は生息する可能性のある有害生物を、上記有害生物予測記憶工程にて記憶したデータから抽出して特定する有害生物特定工程と、上記敷地の各環境要因に講じる有害生物対策案を、上記対策案記憶工程にて記憶したデータから抽出して決定する対策案決定工程とを、具備する方法である。
【０００７】
また、複数の環境要因毎に、発生又は生息する可能性があると予測される有害生物を、予めコンピュータに入力して記憶させる有害生物予測記憶工程と、上記環境要因毎に設定された、有害生物が発生又は生息する可能性を示す発生・生息リスクポイントと、有害生物が敷地内の建物に侵入する可能性を示す侵入リスクポイントとを、予めコンピュータに入力して記憶させるリスクポイント記憶工程と、将来分析される敷地計画図面に於ける環境要因の上記発生・生息リスクポイントと上記侵入リスクポイントの合計値に対応するリスク評価を、予めコンピュータに入力して記憶させるリスク評価記憶工程と、上記環境要因毎に立案した有害生物対策案を、予めコンピュータに入力して記憶させる対策案記憶工程とを、具備し、敷地計画図面を分析して確認された環境要因を、該敷地計画図面を複数に区分けした分析単位区域毎に、コンピュータに入力する環境要因入力工程と、該敷地計画図面の環境要因の上記発生・生息リスクポイントと上記侵入リスクポイントの合計値に対応するリスク評価を、上記リスク評価記憶工程にて記憶したデータから抽出して決定するリスク評価決定工程と、上記敷地計画図面の環境要因によって、将来の敷地内に発生又は生息する可能性のある有害生物を、上記有害生物予測記憶工程にて記憶したデータから抽出して特定する有害生物特定工程と、上記敷地計画図面の各環境要因に講じる有害生物対策案を、上記対策案記憶工程にて記憶したデータから抽出して決定する対策案決定工程とを、具備する方法である。
【０００８】
また、上記敷地を踏査する際に撮影した環境要因の写真データを、コンピュータに入力して記憶させる写真記憶工程を具備し、上記敷地に存在する環境要因と、各該環境要因に対応する写真と、各該環境要因に講じる有害生物対策案とが、表示される写真指摘リストを出力する方法である。
また、上記敷地に存在する環境要因と、各上記踏査単位区域のリスク評価とが、敷地全体の平面地図と共に表示されるリスクマップを出力する方法である。
また、複数の上記環境要因を、緑地種類項目と緑地管理項目と環境管理項目と水系項目に分類して、各該項目別に、上記踏査単位区域の上記リスク評価を、上記リスクマップに表示する方法である。
【０００９】
また、複数の環境要因毎に、発生又は生息する可能性があると予測される有害生物を、予めコンピュータに入力して記憶させる有害生物予測記憶工程と、上記環境要因毎に設定された、有害生物が発生又は生息する可能性を示す発生・生息リスクポイントと、有害生物が敷地内の建物に侵入する可能性を示す侵入リスクポイントとを、予めコンピュータに入力して記憶させるリスクポイント記憶工程と、将来踏査される敷地に於ける環境要因の上記発生・生息リスクポイントと上記侵入リスクポイントの合計値に対応するリスク評価を、予めコンピュータに入力して記憶させるリスク評価記憶工程と、上記環境要因毎に立案した有害生物対策案を、予めコンピュータに入力して記憶させる対策案記憶工程とを、具備し、敷地を踏査して存在が確認された環境要因を、コンピュータに入力する環境要因入力工程と、該敷地に存在する環境要因の上記発生・生息リスクポイントと上記侵入リスクポイントの合計値に対応するリスク評価を、上記リスク評価記憶工程にて記憶したデータから抽出して決定するリスク評価決定工程と、上記敷地に存在する環境要因によって、該敷地内に発生又は生息する可能性のある有害生物を、上記有害生物予測記憶工程にて記憶したデータから抽出して特定する有害生物特定工程と、上記敷地の各環境要因に講じる有害生物対策案を、上記対策案記憶工程にて記憶したデータから抽出して決定する対策案決定工程とを、具備する方法である。
【００１０】
また、複数の環境要因毎に、発生又は生息する可能性があると予測される有害生物を、予めコンピュータに入力して記憶させる有害生物予測記憶工程と、上記環境要因毎に設定された、有害生物が発生又は生息する可能性を示す発生・生息リスクポイントと、有害生物が敷地内の建物に侵入する可能性を示す侵入リスクポイントとを、予めコンピュータに入力して記憶させるリスクポイント記憶工程と、将来分析される敷地計画図面に於ける環境要因の上記発生・生息リスクポイントと上記侵入リスクポイントの合計値に対応するリスク評価を、予めコンピュータに入力して記憶させるリスク評価記憶工程と、上記環境要因毎に立案した有害生物対策案を、予めコンピュータに入力して記憶させる対策案記憶工程とを、具備し、敷地計画図面を分析して確認された環境要因を、コンピュータに入力する環境要因入力工程と、該敷地計画図面の環境要因の上記発生・生息リスクポイントと上記侵入リスクポイントの合計値に対応するリスク評価を、上記リスク評価記憶工程にて記憶したデータから抽出して決定するリスク評価決定工程と、上記敷地計画図面の環境要因によって、将来の敷地内に発生又は生息する可能性のある有害生物を、上記有害生物予測記憶工程にて記憶したデータから抽出して特定する有害生物特定工程と、上記敷地計画図面の各環境要因に講じる有害生物対策案を、上記対策案記憶工程にて記憶したデータから抽出して決定する対策案決定工程とを、具備する方法である。
【発明の効果】
【００１１】
本発明の敷地環境衛生提示方法によれば、人の経験と勘に頼らず、確実かつ容易に、敷地内の環境要因に対応した最適の有害生物対策案を決定できる。敷地内の環境要因が含有するリスクを合理的に数値化し、有害生物対策案の決定に熟練（経験）を要さず、敷地の適切な場所に、適正な品質レベル及びコストの有害生物対策案を行うことができる。即ち、有害生物対策案が過剰品質となったり、異常なコスト高であったり、逆に、不十分な品質となることを防止でき、適切な有害生物対策案を決定できる。敷地の潜在的なリスク評価を参考にして、優先的に有害生物対策案を講じるべきリスクの高い環境要因を客観的に判断できる。
【図面の簡単な説明】
【００１２】
【図１】本発明の実施の一形態を示す主要工程の説明図である。
【図２】フローチャート図である。
【図３】敷地の一例を示す説明用平面図である。
【図４】敷地環境チェックリストの一例を示す説明図である。
【図５】リスク評価結果シートの一例を示す説明図である。
【図６】リスク解析シートの一例を示す説明図である。
【図７】写真指摘リストの一例を示す説明図である。
【図８】リスクマップの一例を示す説明図である。
【図９】他のリスクマップを示す説明図である。
【発明を実施するための形態】
【００１３】
以下、実施の形態を示す図面に基づき本発明を詳細に説明する。
図３は、敷地を平面的に見た地図３０を示し、この敷地内には、食品工場や各種製品工場等の建物３３が建てられている。
例えば、図３の地図３０に示す敷地に於て、北東角３１にサクラやツバキ・ツツジ等の樹木が植えられている。一般に、サクラやツバキ・ツツジには多くの虫が発生することが知られている。また、敷地の北側の複数箇所に、管理されていない雑草地３２，３２，３２があり、この雑草地３２は、雑草が無造作に茂り、ネズミや昆虫類が潜伏する隠れ場所になる虞れがある。敷地内の建物３３の北西角に、多くの虫が発生するツバキが建屋に接するように植えられている。また、建物３３の西側に設けられた搬入口３４の近くに、側溝３５があり、その南側に、使われていない木製パレット３６が壁際に積まれて放置されており、建物３３の搬入口３４からのネズミの侵入の可能性が高い。また、敷地の南側のゴミ置場３７は開放されている。建物３３の東側に設けられた搬出口３８は、複数の雨水桝３９が近くにある。
【００１４】
図３に示す敷地内の樹木・緑地の種類や、樹木・緑地の管理状態、又は、建屋以外の設備・施設とその管理状態、水系施設とその管理状態を、「環境要因」とし、この環境要因の存在によって、敷地内に、昆虫やネズミ等の有害生物が、発生又は生息する可能性がある。
敷地にどの有害生物が発生・生息・侵入する可能性があるのか、また、その有害生物の発生・生息・侵入のリスクがどう評価され、敷地内の環境要因に対してどのような対策（有害生物対策）が必要であるかを、以下のような方法によって、（従来の人の経験と勘に頼らずに）客観的に決定（判断）する。
【００１５】
本発明の方法の概略をフローチャート図として図２に示すと共に、Ａ工程と、Ｂ工程と、Ｃ工程と、Ｄ工程と、Ｊ工程については、図１に具体的に示す。なお、各工程Ａ，Ｂ，Ｃ，Ｄ，Ｊの時間的前後は順不同である。
図１と図２に於て、Ａ工程は、複数の環境要因毎に、発生又は生息する可能性があると予測される有害生物を、予めコンピュータに入力して記憶させる有害生物予測記憶工程である。なお、本発明に於て、有害生物とは、昆虫類（歩行性昆虫・飛翔性昆虫）及びネズミを少なくとも含み、食品や薬品等に混入したり汚損や食害等の被害を発生させる生物を言う。例えば、次の表１に示すように設定する。
【００１６】
【表１】
2018068119.tif 000003
【００１７】
Ｂ工程は、環境要因毎に設定された、有害生物が発生又は生息する可能性を示す発生・生息リスクポイントと、有害生物が敷地内の建物に侵入する可能性を示す侵入リスクポイントとを、予めコンピュータに入力して記憶させるリスクポイント記憶工程である。
例えば、次の表２に示すように、有害生物の発生・生息又は侵入の可能性の有るものに○を付けて、可能性の無いものあるいは低いものは無印とする。○の付いた項目には、発生・生息又は侵入の可能性の高さに応じて数値化した発生・生息リスクポイント又は侵入リスクポイントが設定される。
【００１８】
【表２】
2018068119.tif 000004
【００１９】
Ｃ工程は、将来踏査される敷地に於ける環境要因の発生・生息リスクポイントと侵入リスクポイントの合計値に対応するリスク評価を、予めコンピュータに入力して記憶させるリスク評価記憶工程である。
例えば、リスク評価を「著しく大」「大」「中」「小」の複数段階とし、各段階に対応して発生・生息リスクポイントと侵入リスクポイントの合計値の閾値を設定入力する。
【００２０】
Ｄ工程は、環境要因毎に立案した有害生物対策案を、予めコンピュータに入力して記憶させる対策案記憶工程である。
例えば、「ツツジ類がある。」という環境要因に対し、「ツツジグンバイは４月〜１０月、ルリチュウレンジは５月〜６月に発生が見られたら薬剤処理を実施する。」という有害生物対策案を設定する。また、「芝地がある。」という環境要因に対し、「マメコガネやアリが多数発生したら、発生時期に薬剤散布を実施する。」という有害生物対策案を設定する。
【００２１】
上述のＡ工程〜Ｄ工程を完了した後、実際の敷地を踏査して、図２に示すフローチャートのように、敷地内で存在が確認された環境要因を、コンピュータに入力する（これを環境要因入力工程Ｅと呼ぶこととする）。
具体的には、図３に示す敷地を、複数に区分けした踏査単位区域（Ｔ１〜Ｔ４）毎に、環境要因が存在すればそれを入力する。図３に示すように、敷地を区分けする分割線の方向は任意に設定して良く、建物３３の搬入口３４・搬出口３８の位置や、植栽の切れ目等を判断（考慮）して分割線の位置を決定すると良い。なお、状況によっては、東西南北の４方向としても良い。例えば、放射状に区分けして８つの踏査単位区域（Ｔ１〜Ｔ８）を区画形成しても良く、又は、所定のマス目に区分けしても良い。なお、踏査単位区域に付した符号「Ｔ１〜Ｔ４」は、ｉ＝自然数とし、「Ｔｉ」と表記しても良い。つまり、ｉは自由に増減して良い。
【００２２】
敷地の踏査では、例えば、図４に示す敷地環境チェックリスト３に従って、複数の環境要因に対応するチェックボックスにレ点（チェック）を入れて入力する。この踏査の際、敷地内に存在を確認した環境要因の写真を撮影する。なお、図１に於て、Ｊ工程は、敷地を踏査する際に撮影した環境要因の写真データを、コンピュータに入力して記憶させる写真記憶工程である。
図４に示すように、敷地環境チェックリスト３に提示される複数の環境要因が、緑地種類項目と緑地管理項目と環境管理項目と水系項目に分類されている。ここで、緑地種類項目とは、敷地内に存在する樹木・緑地そのものに対するリスクを評価する項目であり、緑地管理項目とは、敷地内に存在する緑地の管理状態がもたらすリスクを評価する項目であり、環境管理項目とは、敷地内に存在する建屋以外の設備・施設とその管理状態がもたらすリスクを評価する項目であり、水系項目とは、敷地内に存在する水系施設とその管理状態がもたらすリスクを評価する項目である。
【００２３】
図２に示すように、Ｅ工程にて入力された敷地内の全ての環境要因に対応して、発生・生息リスクポイントと侵入リスクポイントを、リスクポイント記憶工程Ｂにて記憶したデータから抽出して、発生・生息リスクポイントと侵入リスクポイントを合計（合算）する。
次に、発生・生息リスクポイントと侵入リスクポイントの合計値に対応するリスク評価を、リスク評価記憶工程Ｃにて記憶したデータから抽出して決定する（リスク評価決定工程Ｆとする）。
【００２４】
一方、Ｅ工程にて入力された敷地内の環境要因に対応して、発生又は生息する可能性のある有害生物を、有害生物予測記憶工程Ａにて記憶したデータから抽出して特定する。このＧ工程を有害生物特定工程と呼ぶ。
Ｇ工程の次のＨ工程では、敷地の各環境要因に講じる有害生物対策案を、対策案記憶工程Ｄにて記憶したデータから抽出して決定する。これを対策案決定工程とする。
【００２５】
Ｈ工程にて有害生物対策案が決定されると、図７に示すように、Ｅ工程にて入力された敷地内の環境要因と、（Ｊ工程にて記憶した）各環境要因に対応する写真と、各環境要因に講じる有害生物対策案とが、表示される写真指摘リスト１を、出力する。写真指摘リスト１の出力は、プリントアウトによって行われる。
なお、図２に破線で示すように、写真指摘リスト１の作成の際に、Ｆ工程からのリスク評価の結果を反映して、敷地内の環境要因とこれに対する有害生物対策案等を、リスクの高いものから低いものの順に並べて、写真指摘リスト１に表示するも好ましい。
【００２６】
また、図２に示すように、Ｆ工程にてリスク評価が決定されると、リスク評価結果シート４（図５参照）、リスク解析シート５（図６参照）、リスクマップ２（図８参照）を、出力する。リスク評価結果シート４・リスク解析シート５の出力は、プリントアウトによって行なわれ、あるいは、コンピュータの画面上での表示によって行われる。
図５に示すように、リスク評価結果シート４は、例えば、敷地に存在する環境要因の発生・生息リスクポイントと侵入リスクポイントの合計値が「３４ポイント」となった際、リスク評価結果シート４中のトータルリスクの欄に「大」という総合的なリスク評価が表示される。なお、トータルリスクの隣の欄に表示される「得点６６点」とは、総合的なリスク評価の結果より割り出した１００点満点中の得点である。なお、点数の表記は、１００点満点ではなく、リスクポイント加点方式としても良い。トータルリスクの欄の下に、「総評」及び「リスク解析」の記載欄が設けられている。
【００２７】
図６に示すように、リスク解析シート５は、例えば、（リスク評価結果シート４にも示された）総合的なリスク評価が表示されると共に、環境要因の分類項目（上述の緑地種類項目・緑地管理項目・環境管理項目・水系項目）毎にリスク評価が示される。また、歩行性昆虫の発生・生息又は侵入の可能性、飛翔性昆虫の発生・生息又は侵入の可能性、ネズミの発生・生息又は侵入の可能性の各々に、リスク評価が設定されており、さらに、敷地を区割りした各踏査単位区域（Ｔ１〜Ｔ４）のリスク評価が示されている。
なお、図６のリスク解析シート５では、例えば、項目別・種類別のリスクポイント（発生・生息リスクポイントと侵入リスクポイント）の合計値が、４０ポイント以上であれば「著しく大」とし、４０ポイント未満２０ポイント以上であれば「大」とし、２０ポイント未満１０ポイント以上であれば「中」とし、１０ポイント未満であれば「小」として、リスク評価が表示される。
【００２８】
図８に示すように、リスクマップ２は、敷地に存在する環境要因と、各踏査単位区域（Ｔ１〜Ｔ４）のリスク評価とが、敷地全体の平面地図と共に表示される。リスクマップ２の出力は、プリントアウトによって行われる。
事前に図３に示す敷地の地図３０を読み込んで、予めコンピュータに入力して記憶させ、敷地の踏査により存在が確認された樹木・緑地の位置、水系、ゴミ置場、搬入口、搬出口等の環境要因の配置を、（コンピュータの画面上に表示された）敷地の地図データに重ね合わせて、記録する。リスクマップ２には、各踏査単位区域（Ｔ１〜Ｔ４）に対応して、円形乃至楕円形のリスク評価表示部６にてリスク評価が示される。リスク評価表示部６の円の大きさ（直径）は、リスク評価が高い（リスクポイントが高い）ほど大きくなるよう設定される。リスク評価表示部６は、目立ち易いよう色彩が付けられている。リスクマップ２は、踏査単位区域（Ｔ１〜Ｔ４）毎のリスク評価を地図上に表示することで、有害生物の発生・生息・侵入のリスクを可視化している。例えば、敷地内の建物３３の西側の搬入口３４からの有害生物の侵入リスクが高いのか、東側の搬出口３８からの有害生物の侵入リスクが高いのかを、リスクマップ２によって容易に確認でき、西側搬入口３４と東側搬出口３８の侵入リスクに差がある時には、リスクの高い方に優先的に有害生物対策を講じて、有害生物の侵入を有効に防ぐことができる。
【００２９】
図９に示すように、リスクマップ２は、各踏査単位区域（Ｔ１〜Ｔ４）に対し、図６のリスク解析シート５にも示された環境要因の分類項目（上述の緑地種類項目・緑地管理項目・環境管理項目・水系項目）毎のリスク評価を、複数のリスク評価表示部６として、各項目別に確認できるよう表示しても良い。
【００３０】
上述のように、食品工場や各種製品工場等が建てられた実際の敷地を踏査して環境要因の存在を確認可能な場合について説明したが、新たに食品工場や各種製品工場、スーパーマーケット、倉庫、ホテル、レストラン、集合住宅等の建物が建設される予定の敷地では、実際に敷地を踏査して環境要因を確認することができないこともある。そこで、本発明の方法は、将来的な食品工場や各種製品工場等の計画段階の敷地計画図面を分析して、環境要因を確認して、将来の敷地にどの有害生物が発生・生息・侵入する可能性があるのか、また、その有害生物の発生・生息・侵入のリスクがどう評価され、どのような有害生物対策が必要であるかを、客観的に決定して提示することができる。
【００３１】
図１に示すＡ工程〜Ｄ工程を完了した後、計画段階の敷地計画図面を分析して環境要因を確認し、図２のフローチャートに示すように、敷地計画図面を複数に区分けした分析単位区域毎に、環境要因をコンピュータに入力する環境要因入力工程Ｅを行う。
【００３２】
図２に示すように、Ｅ工程にて入力された敷地計画図面の環境要因に対応して、環境要因の発生・生息リスクポイントと侵入リスクポイントの合計値に対応するリスク評価を、リスク評価記憶工程Ｃにて記憶したデータから抽出して決定するリスク評価決定工程Ｆと、敷地計画図面の環境要因によって、将来の敷地内に発生又は生息する可能性のある有害生物を、有害生物予測記憶工程Ａにて記憶したデータから抽出して特定する有害生物特定工程Ｇと、敷地計画図面の各環境要因に講じる有害生物対策案を、対策案記憶工程Ｄにて記憶したデータから抽出して決定する対策案決定工程Ｈとを、行う。
Ｆ工程・Ｇ工程・Ｈ工程の完了後、敷地計画図面の環境要因に対応する、リスク評価結果シート４（図５参照）と、リスク解析シート５（図６参照）と、リスクマップ２（図８参照）を、出力する。
敷地の計画図面設計者は、リスク評価結果シート４・リスク解析シート５・リスクマップ２を参考にして、敷地に設ける予定の樹木・緑地を変更する、あるいは、建物の搬入口・搬出口の配置を変更して、ネズミや昆虫等の侵入を防止し易い敷地計画を検討する。
【００３３】
なお、本発明は、設計変更可能であって、例えば、コンビニエンスストアや規模の小さな工場等が建設される敷地の面積が比較的狭小である場合には、敷地を区分けしないで、敷地を１つの踏査単位区域として踏査して、存在が確認された環境要因をコンピュータに入力しても良い。なお、敷地計画図面に関しても同様である。
【００３４】
以上のように、本発明に係る敷地環境衛生提示方法は、複数の環境要因毎に、発生又は生息する可能性があると予測される有害生物を、予めコンピュータに入力して記憶させる有害生物予測記憶工程Ａと、上記環境要因毎に設定された、有害生物が発生又は生息する可能性を示す発生・生息リスクポイントと、有害生物が敷地内の建物に侵入する可能性を示す侵入リスクポイントとを、予めコンピュータに入力して記憶させるリスクポイント記憶工程Ｂと、将来踏査される敷地に於ける環境要因の上記発生・生息リスクポイントと上記侵入リスクポイントの合計値に対応するリスク評価を、予めコンピュータに入力して記憶させるリスク評価記憶工程Ｃと、上記環境要因毎に立案した有害生物対策案を、予めコンピュータに入力して記憶させる対策案記憶工程Ｄとを、具備し、敷地を踏査して存在が確認された環境要因を、該敷地を平面的に見て複数に区分けした踏査単位区域Ｔｉ毎に、コンピュータに入力する環境要因入力工程Ｅと、該敷地に存在する環境要因の上記発生・生息リスクポイントと上記侵入リスクポイントの合計値に対応するリスク評価を、上記リスク評価記憶工程Ｃにて記憶したデータから抽出して決定するリスク評価決定工程Ｆと、  上記敷地に存在する環境要因によって、該敷地内に発生又は生息する可能性のある有害生物を、上記有害生物予測記憶工程Ａにて記憶したデータから抽出して特定する有害生物特定工程Ｇと、上記敷地の各環境要因に講じる有害生物対策案を、上記対策案記憶工程Ｄにて記憶したデータから抽出して決定する対策案決定工程Ｈとを、具備するので、人の経験と勘に頼らず、確実かつ容易に、敷地内の環境要因に対応した最適の有害生物対策案を決定できる。敷地内の環境要因が含有するリスクを合理的に数値化し、有害生物対策案の決定に熟練（経験）を要さず、敷地の適切な場所に、適正な品質レベル及びコストの有害生物対策案を行うことができる。即ち、有害生物対策案が過剰品質となったり、異常なコスト高であったり、逆に、不十分な品質となることを防止でき、適切な有害生物対策案を決定できる。敷地の潜在的なリスク評価を参考にして、優先的に有害生物対策案を講じるべきリスクの高い環境要因を客観的に判断できる。
【００３５】
また、複数の環境要因毎に、発生又は生息する可能性があると予測される有害生物を、予めコンピュータに入力して記憶させる有害生物予測記憶工程Ａと、上記環境要因毎に設定された、有害生物が発生又は生息する可能性を示す発生・生息リスクポイントと、有害生物が敷地内の建物に侵入する可能性を示す侵入リスクポイントとを、予めコンピュータに入力して記憶させるリスクポイント記憶工程Ｂと、将来分析される敷地計画図面に於ける環境要因の上記発生・生息リスクポイントと上記侵入リスクポイントの合計値に対応するリスク評価を、予めコンピュータに入力して記憶させるリスク評価記憶工程Ｃと、上記環境要因毎に立案した有害生物対策案を、予めコンピュータに入力して記憶させる対策案記憶工程Ｄとを、具備し、敷地計画図面を分析して確認された環境要因を、該敷地計画図面を複数に区分けした分析単位区域毎に、コンピュータに入力する環境要因入力工程Ｅと、該敷地計画図面の環境要因の上記発生・生息リスクポイントと上記侵入リスクポイントの合計値に対応するリスク評価を、上記リスク評価記憶工程Ｃにて記憶したデータから抽出して決定するリスク評価決定工程Ｆと、上記敷地計画図面の環境要因によって、将来の敷地内に発生又は生息する可能性のある有害生物を、上記有害生物予測記憶工程Ａにて記憶したデータから抽出して特定する有害生物特定工程Ｇと、上記敷地計画図面の各環境要因に講じる有害生物対策案を、上記対策案記憶工程Ｄにて記憶したデータから抽出して決定する対策案決定工程Ｈとを、具備するので、人の経験と勘に頼らず、確実かつ容易に、計画段階の敷地計画図面の環境要因に対応した最適の有害生物対策案を決定できる。敷地計画図面の環境要因が含有するリスクを合理的に数値化し、有害生物対策案の決定に熟練（経験）を要さず、敷地の適切な場所に、適正な品質レベル及びコストの有害生物対策案を行うことができる。即ち、有害生物対策案が過剰品質となったり、異常なコスト高であったり、逆に、不十分な品質となることを防止でき、適切な有害生物対策案を決定できる。敷地計画図面の潜在的なリスク評価を参考にして、優先的に有害生物対策案を講じるべきリスクの高い環境要因を客観的に判断できる。
【００３６】
また、上記敷地を踏査する際に撮影した環境要因の写真データを、コンピュータに入力して記憶させる写真記憶工程Ｊを具備し、上記敷地に存在する環境要因と、各該環境要因に対応する写真と、各該環境要因に講じる有害生物対策案とが、表示される写真指摘リスト１を出力するので、有害生物対策案を講じるべき環境要因を写真で確認することで、経験の浅い施工者が環境要因を間違うのを防止でき、適正な品質レベル及びコストをもって有害生物対策案を施工できる。
【００３７】
また、上記敷地に存在する環境要因と、各上記踏査単位区域Ｔｉのリスク評価とが、敷地全体の平面地図と共に表示されるリスクマップ２を出力するので、踏査単位区域Ｔｉ毎の有害生物の発生・生息・侵入のリスクを可視化できる。リスクを可視化することによって、有害生物対策案を講じるべき環境要因が敷地のどの位置に有るのか、どの環境要因に優先的に有害生物対策案を講じるべきなのかを、容易に確認できる。
【００３８】
また、複数の上記環境要因を、緑地種類項目と緑地管理項目と環境管理項目と水系項目に分類して、各該項目別に、上記踏査単位区域Ｔｉの上記リスク評価を、上記リスクマップ２に表示するので、踏査単位区域Ｔｉ毎の有害生物の発生・生息・侵入のリスクを、項目別に、可視化できる。リスクを項目別に可視化することによって、有害生物対策案を講じるべき環境要因が敷地のどの位置に有るのか、どの環境要因に優先的に有害生物対策案を講じるべきなのかを、項目別に、容易に確認できる。
【００３９】
また、複数の環境要因毎に、発生又は生息する可能性があると予測される有害生物を、予めコンピュータに入力して記憶させる有害生物予測記憶工程Ａと、上記環境要因毎に設定された、有害生物が発生又は生息する可能性を示す発生・生息リスクポイントと、有害生物が敷地内の建物に侵入する可能性を示す侵入リスクポイントとを、予めコンピュータに入力して記憶させるリスクポイント記憶工程Ｂと、将来踏査される敷地に於ける環境要因の上記発生・生息リスクポイントと上記侵入リスクポイントの合計値に対応するリスク評価を、予めコンピュータに入力して記憶させるリスク評価記憶工程Ｃと、上記環境要因毎に立案した有害生物対策案を、予めコンピュータに入力して記憶させる対策案記憶工程Ｄとを、具備し、敷地を踏査して存在が確認された環境要因を、コンピュータに入力する環境要因入力工程Ｅと、該敷地に存在する環境要因の上記発生・生息リスクポイントと上記侵入リスクポイントの合計値に対応するリスク評価を、上記リスク評価記憶工程Ｃにて記憶したデータから抽出して決定するリスク評価決定工程Ｆと、上記敷地に存在する環境要因によって、該敷地内に発生又は生息する可能性のある有害生物を、上記有害生物予測記憶工程Ａにて記憶したデータから抽出して特定する有害生物特定工程Ｇと、上記敷地の各環境要因に講じる有害生物対策案を、上記対策案記憶工程Ｄにて記憶したデータから抽出して決定する対策案決定工程Ｈとを、具備するので、人の経験と勘に頼らず、確実かつ容易に、敷地内の環境要因に対応した最適の有害生物対策案を決定できる。敷地内の環境要因が含有するリスクを合理的に数値化し、有害生物対策案の決定に熟練（経験）を要さず、敷地の適切な場所に、適正な品質レベル及びコストの有害生物対策案を行うことができる。即ち、有害生物対策案が過剰品質となったり、異常なコスト高であったり、逆に、不十分な品質となることを防止でき、適切な有害生物対策案を決定できる。敷地の潜在的なリスク評価を参考にして、優先的に有害生物対策案を講じるべきリスクの高い環境要因を客観的に判断できる。
【００４０】
また、複数の環境要因毎に、発生又は生息する可能性があると予測される有害生物を、予めコンピュータに入力して記憶させる有害生物予測記憶工程Ａと、上記環境要因毎に設定された、有害生物が発生又は生息する可能性を示す発生・生息リスクポイントと、有害生物が敷地内の建物に侵入する可能性を示す侵入リスクポイントとを、予めコンピュータに入力して記憶させるリスクポイント記憶工程Ｂと、将来分析される敷地計画図面に於ける環境要因の上記発生・生息リスクポイントと上記侵入リスクポイントの合計値に対応するリスク評価を、予めコンピュータに入力して記憶させるリスク評価記憶工程Ｃと、上記環境要因毎に立案した有害生物対策案を、予めコンピュータに入力して記憶させる対策案記憶工程Ｄとを、具備し、敷地計画図面を分析して確認された環境要因を、コンピュータに入力する環境要因入力工程Ｅと、該敷地計画図面の環境要因の上記発生・生息リスクポイントと上記侵入リスクポイントの合計値に対応するリスク評価を、上記リスク評価記憶工程Ｃにて記憶したデータから抽出して決定するリスク評価決定工程Ｆと、上記敷地計画図面の環境要因によって、将来の敷地内に発生又は生息する可能性のある有害生物を、上記有害生物予測記憶工程Ａにて記憶したデータから抽出して特定する有害生物特定工程Ｇと、上記敷地計画図面の各環境要因に講じる有害生物対策案を、上記対策案記憶工程Ｄにて記憶したデータから抽出して決定する対策案決定工程Ｈとを、具備するので、人の経験と勘に頼らず、確実かつ容易に、計画段階の敷地計画図面の環境要因に対応した最適の有害生物対策案を決定できる。敷地計画図面の環境要因が含有するリスクを合理的に数値化し、有害生物対策案の決定に熟練（経験）を要さず、敷地の適切な場所に、適正な品質レベル及びコストの有害生物対策案を行うことができる。即ち、有害生物対策案が過剰品質となったり、異常なコスト高であったり、逆に、不十分な品質となることを防止でき、適切な有害生物対策案を決定できる。敷地計画図面の潜在的なリスク評価を参考にして、優先的に有害生物対策案を講じるべきリスクの高い環境要因を客観的に判断できる。
【符号の説明】
【００４１】
１  写真指摘リスト
２  リスクマップ
Ａ  有害生物予測記憶工程
Ｂ  リスクポイント記憶工程
Ｃ  リスク評価記憶工程
Ｄ  対策案記憶工程
Ｅ  環境要因入力工程
Ｆ  リスク評価決定工程
Ｇ  有害生物特定工程
Ｈ  対策案決定工程
Ｊ  写真記憶工程
Ｔｉ  踏査単位区域
【図１】
2018068119.tif 000005
【図２】
2018068119.tif 000006
【図３】
2018068119.tif 000007
【図４】
2018068119.tif 000008
【図５】
2018068119.tif 000009
【図６】
2018068119.tif 000010
【図７】
2018068119.tif 000011
【図８】
2018068119.tif 000012
【図９】
2018068119.tif 000013